(57)【特許請求の範囲】
【請求項１】
電線が引き出されたコネクタハウジングと、
カバー本体と蓋部を有し、前記コネクタハウジングの電線引出側に組み付けされるコネクタカバーと、
前記カバー本体が前記コネクタハウジングの組み付け位置に位置合わせされ、且つ、前記蓋部が前記カバー本体の組み付け位置に位置合わせされた状態で、前記カバー本体と前記蓋部との間、及び、前記コネクタハウジングと前記コネクタカバーとの間をロックするロック手段とを備えたコネクタであって、
前記コネクタハウジングと前記カバー本体のいずれか一方に設けられた嵌合アームと、他方に設けられたアーム嵌合孔とを有し、前記嵌合アームには先端箇所に突部が設けられ、前記アーム嵌合孔は、挿入入口より挿入途中までが、前記カバー本体の組み付け方向に対し斜め方向での挿入のみを許容するよう形成され、前記突部が干渉内壁面に当接する位置では、前記カバー本体の本来の組み付け方向への向きに戻すよう回転しつつ押し込むことによって前記突部が前記干渉内壁面を乗り越えて挿入完了位置まで挿入され、挿入完了位置では前記突部を挟み込んでロックするよう形成された仮ロック手段を備えたことを特徴とするコネクタ。
【請求項２】
請求項１記載のコネクタであって、
前記突部が前記干渉内壁面に当接する位置では、前記コネクタハウジングと前記カバー本体の外側から目視できる外側干渉部同士が突き当たるよう形成されていることを特徴とするコネクタ。
【請求項３】
請求項１又は請求項２記載のコネクタであって、
前記仮ロック手段は、ロック手段を一部兼用することを特徴とするコネクタ。
【発明の詳細な説明】
【技術分野】
【０００１】
本発明は、コネクタハウジングの電線引出側にコネクタカバーを組み付けたコネクタに関する。
【背景技術】
【０００２】
コネクタハウジングの電線引き出し箇所が直接被水するのを防止したり、コルゲートチューブの一端側を固定するのに、コネクタカバーを組み付けたコネクタが従来より種々提案されている（例えば特許文献１、特許文献２参照）。この種のコネクタの一従来例が図８〜図１１に示されている。
【０００３】
図８〜図１１において、コネクタ１００は、コネクタハウジング１０２と、このコネクタハウジング１０２に組み付けされたコネクタカバー１１０と、コネクタカバー１１０に一端側が固定されたコルゲートチューブ１３０とを備えている。
【０００４】
コネクタハウジング１０２の後面側から電線Ｗが引き出されている。コネクタハウジング１０２より引き出された電線Ｗは、コネクタカバー１１０の内部を通り、その後、コルゲートチューブ１３０内を通って外部に引き出されている。
【０００５】
コネクタカバー１１０は、カバー本体１１１と、このカバー本体１１１の側部にヒンジ部１２０を介して連結された第１蓋部１２１及び第２蓋部１２２とを備えている。カバー本体１１１と第２蓋部１２２の内面側には、チューブ係止突起１１３，１２３がそれぞれ設けられている。
【０００６】
コネクタハウジング１０２とコネクタカバー１１０には、第１ロック手段１４０と第２ロック手段１５０が設けられている。
【０００７】
第１ロック手段１４０は、コネクタハウジング１０２の互いに対向する面側に設けられた係止凸部（図示せず）及び係止突壁１４２と、カバー本体１１１に設けられた係止凹部１４３と、第１蓋部１２１に設けられた一対の係止アーム１４４とから構成されている。コネクタハウジング１０２の係止凸部（図示せず）がカバー本体１１１の係止凹部１４３に入り込み、且つ、コネクタハウジング１０２の係止突壁１４２に第１蓋部１２１の係止アーム１４４が係止されている。これにより、コネクタハウジング１０２よりコネクタカバー１１０が離脱しないようロックされている。
【０００８】
第２ロック手段１５０は、カバー本体１１１に設けられた複数の係止枠１５１と、第１蓋部１２１及び第２蓋部１２２にそれぞれ設けられた係止アーム１５２とから構成されている。各係止枠１５１に対応する各係止アーム１５２が係止されている。これにより、カバー本体１１１に第１蓋部１２１及び第２蓋部１２２が閉位置でロックされている。
【０００９】
次に、コネクタ１００の組み付け手順を説明する。図９に示すように、コネクタハウジング１０２より引き出された電線Ｗにコルゲートチューブ１３０をセットする。次に、図１１に示すように、コネクタカバー１１０のカバー本体１１１をコネクタハウジング１０２の組み付け位置にセットする。組み付け位置へのセットでは、コネクタハウジング１０２の係止凸部（図示せず）がカバー本体１１１の係止凹部１４３に入り込む。このカバー本体１１１の組み付け位置への移動は、図１０にて実線及び仮想線で示すように、いずれの方向でも可能である。次に、図１１に示すように、カバー本体１１１の組み付け位置にコルゲートチューブ１３０をセットする。次に、第１蓋部１２１と第２蓋部１２２を各ヒンジ部１２０を支点として回転し閉位置にセットする。第１蓋部１２１及び第２蓋部１２２を閉位置まで回転すると、係止突壁１４２と係止アーム１４４が係止されると共に、各係止アーム１５２と各係止枠１５１がそれぞれ係止される。これにより、第１ロック手段１４０と第２ロック手段１５０が共にロックされる（図８参照）。これで、組み付けが完了する。
【先行技術文献】
【特許文献】
【００１０】
【特許文献１】特開２００４−２２０８５６号公報
【特許文献２】特開２００５−３１８７０６号公報
【発明の概要】
【発明が解決しようとする課題】
【００１１】
しかしながら、前記従来のコネクタ１００では、コネクタカバー１１０のカバー本体１１１をコネクタハウジング１０２の組み付け位置にセットしてから、第１蓋部１２１を閉位置に回転するまでは、作業者がコネクタカバー１１０のカバー本体１１１をコネクタハウジング１０２の組み付け位置に手などで保持する必要があった。そのため、組み付け作業性が悪いという問題がある。
【００１２】
ここで、コネクタカバー１１０のカバー本体１１１をコネクタハウジング１０２の組み付け位置で仮ロックする手段を付加することが考えられる（例えば特許文献１参照）。しかし、特許文献１の仮ロック手段は、カバー本体１１１のコネクタハウジング１０２へのスライド挿入過程で、係止アームが弾性変形で係止孔にロックする構造であり、ロック保持力が弱い。そのため、コネクタハウジング１０２に組み付けされたコネクタカバー１１０に荷重が加わると、コネクタハウジング１０２に対しコネクタカバー１１０が容易に脱落する恐れがある。
【００１３】
そこで、本発明は、前記した課題を解決すべくなされたものであり、コネクタカバーの組み付け作業性が良く、しかも、コネクタハウジングに対しコネクタカバーが容易に脱落しないコネクタを提供することを目的とする。
【課題を解決するための手段】
【００１４】
本発明は、電線が引き出されたコネクタハウジングと、カバー本体と蓋部を有し、前記コネクタハウジングの電線引出側に組み付けされるコネクタカバーと、前記カバー本体が前記コネクタハウジングの組み付け位置に位置合わせされ、且つ、前記蓋部が前記カバー本体の組み付け位置に位置合わせされた状態で、前記カバー本体と前記蓋部との間、及び、前記コネクタハウジングと前記コネクタカバーとの間をロックするロック手段とを備えたコネクタであって、前記コネクタハウジングと前記カバー本体のいずれか一方に設けられた嵌合アームと、他方に設けられたアーム嵌合孔とを有し、前記嵌合アームには先端箇所に突部が設けられ、前記アーム嵌合孔は、挿入入口より挿入途中までが、前記カバー本体の組み付け方向に対し斜め方向での挿入のみを許容するよう形成され、前記突部が干渉内壁面に当接する位置では、前記カバー本体の本来の組み付け方向への向きに戻すよう回転しつつ押し込むことによって前記突部が前記干渉内壁面を乗り越えて挿入完了位置まで挿入され、挿入完了位置では前記突部を挟み込んでロックするよう形成された仮ロック手段を備えたことを特徴とする。
【００１５】
前記突部が前記干渉内壁面に当接する位置では、前記コネクタハウジングと前記カバー本体の外側から目視できる外側干渉部同士が突き当たるよう形成されていることが好ましい。
【００１６】
前記仮ロック手段は、ロック手段を一部兼用することが好ましい。
【発明の効果】
【００１７】
本発明によれば、コネクタカバーのカバー本体をコネクタハウジングの組み付け位置にセットすると、仮ロック手段によってロックされる。従って、蓋部をカバー本体の組み付け位置にセットするまで、作業者がコネクタカバーのカバー本体をコネクタハウジングの組み付け位置に保持する必要がない。そして、仮ロック手段は、カバー本体とコネクタハウジング間に直線方向の離脱力と回転力が所定の順序で作用しない限り外れないため、仮ロック手段によってカバー本体とコネクタハウジング間が強いロック保持力でロックされる。以上より、コネクタカバーの組み付け作業性が良く、しかも、コネクタハウジングに対しコネクタカバーが容易に脱落しない。
【図面の簡単な説明】
【００１８】
【図１】本発明の一実施形態を示し、コネクタの斜視図である。
【図２】本発明の一実施形態を示し、底面側から見たコネクタの分解斜視図である。
【図３】本発明の一実施形態を示し、上面側から見たコネクタの分解斜視図である。
【図４】本発明の一実施形態を示し、仮ロック手段の斜視図である。
【図５】本発明の一実施形態を示し、（ａ）はコネクタハウジングにコネクタカバーを組み付けする手順を説明する側面図、（ｂ）はコネクタハウジングにコネクタカバーを組み付けする手順を説明する要部断面図である。
【図６】本発明の一実施形態を示し、（ａ）はコネクタハウジングにコネクタカバーを組み付けする手順を説明する側面図、（ｂ）はコネクタハウジングにコネクタカバーを組み付けする手順を説明する要部断面図である。
【図７】本発明の一実施形態を示し、（ａ）はコネクタハウジングにコネクタカバーを組み付けする手順を説明する側面図、（ｂ）はコネクタハウジングにコネクタカバーを組み付けする手順を説明する要部断面図である。
【図８】従来例を示し、コネクタの斜視図である。
【図９】従来例を示し、上面側から見たコネクタの分解斜視図である。
【図１０】従来例を示し、コネクタハウジングにコネクタカバーを組み付けする手順を説明する斜視図である。
【図１１】従来例を示し、コネクタハウジングにコネクタカバーのカバー本体を仮組み付けした状態の斜視図である。
【発明を実施するための形態】
【００１９】
以下、本発明の一実施形態を図面に基づいて説明する。
【００２０】
図１〜図７は本発明の一実施形態を示す。図１〜図３に示すように、コネクタ１は、コネクタハウジング２と、このコネクタハウジング２に組み付けされたコネクタカバー１０と、コネクタカバー１０に一端側が固定されたコルゲートチューブ３０とを備えている。
【００２１】
コネクタハウジング２は、前面側が開口された複数の端子収容室３を有する。この各端子収容室３には、端子（図示せず）がそれぞれ収容されている。各端子（図示せず）には、電線Ｗの端末がそれぞれ接続されている。これら電線Ｗは、コネクタハウジング２の後面の各電線出口４より外部に引き出されている。
【００２２】
コネクタカバー１０は、カバー本体１１と、このカバー本体１１の側部に各ヒンジ部２０を介して連結された第１蓋部２１及び第２蓋部２２とを備えている。
【００２３】
第１蓋部２１と第２蓋部２２は、各ヒンジ部２０を中心として回転する。これにより、第１蓋部２１と第２蓋部２２は、カバー本体１１内を開閉する。第１蓋部２１と第２蓋部２２は、カバー本体１１の内部を閉じる位置が組み付け位置である。この組み付け位置では、カバー本体１１と第１蓋部２１及び第２蓋部２２との内部に電線挿通路１２が構成される。カバー本体１１と第２蓋部２２の電線挿通路１２には、コルゲートチューブ３０の一端側を係止するチューブ係止突起１３，２３がそれぞれ設けられている。第２蓋部２２の閉位置では、チューブ係止突起１３，２３がコルゲートチューブ３０の一端側を係止する。
【００２４】
コネクタハウジング２より引き出された電線Ｗは、コネクタカバー１０の電線挿通路１２を通り、コルゲートチューブ３０内を通って外部に引き出されている。
【００２５】
コネクタハウジング２とコネクタカバー１０には、第１ロック手段４０と第２ロック手段５０と共に仮ロック手段６０が設けられている。
【００２６】
第１ロック手段４０は、下記に詳述する仮ロック手段６０と、コネクタハウジング２に設けられた係止突壁４２と、第１蓋部２１に設けられた一対の係止アーム４４とから構成されている。つまり、仮ロック手段６０が第１ロック手段４０の一部を兼用している。第１ロック手段４０によって、コネクタハウジング２よりコネクタカバー１０が離脱しないようロックされている。
【００２７】
第２ロック手段５０は、カバー本体１１に設けられた係止枠５１と、第１蓋部２１及び第２蓋部２２にそれぞれ設けられた係止アーム５２とから構成されている。各係止枠５１と各係止アーム５２が弾性変形によって係止されている。第２ロック手段５０によって、閉位置の第１蓋部２１と第２蓋部２２がカバー本体１１に対し開方向に回転しないようロックされている。
【００２８】
仮ロック手段６０は、図４〜図７に詳しく示すように、コネクタハウジング２に設けられた２本の嵌合アーム６１と、カバー本体１１に設けられた２つのアーム嵌合孔６２とから構成されている。
【００２９】
２本の嵌合アーム６１は、互いに間隔を置いて平行に配置されている。各嵌合アーム６１の先端箇所には、突部６１ａが設けられている。嵌合アーム６１は、突部６１ａによって先端箇所が根本箇所より下方に突出している。
【００３０】
２つのアーム嵌合孔６２は、カバー本体１１の突壁部１１ａと、この内側に間隔を置いて設けられた２本のリブ１７との間を利用してそれぞれ構成されている。各アーム嵌合孔６２の突壁部１１ａ側の内面は、アーム嵌合孔６２の入口から途中までの区間が干渉内壁面６２ａに、挿入途中から挿入完了位置までの区間が挟持用内壁面６２ｂに、干渉内壁面６２ａと挟持用内壁面６２ｂの間が段差面６２ｃにそれぞれ形成されている。各アーム嵌合孔６２のリブ１７側の内面は、アーム嵌合孔６２の入口から干渉内壁面６２ａより少し奥位置までの区間がテーパ面６２ｄに、これよりも奥位置の区間がストレートな挟持用内壁面６２ｅにそれぞれ形成されている。テーパ面６２は、挿入入口側が最も広く、奥に向かうに従って狭くなる方向に傾斜している。
【００３１】
このような構成によって、各アーム嵌合孔６２は、嵌合アーム６１の挿入に際し、その挿入入口より挿入途中までが、カバー本体１１の組み付け方向に対し斜め方向での挿入のみを許容し、突部６１ａが干渉内壁面６２ａに当接する位置では、カバー本体１１の本来の組み付け方向への向きに戻すよう回転しつつ押し込むことによって突部６１ａが干渉内壁面６２ａとの干渉を圧縮変形で乗り越えて一対の挟持用内壁面６２ｂ，６２ｅで挟み込んでロックするよう形成されている。
【００３２】
また、嵌合アーム６１の突部６１ａが干渉内壁面６２ａに当接する位置では、図６（ａ）に示すように、コネクタハウジング２とカバー本体１１の外側から目視できる外側干渉部２ｄ，１１ｄ同士が突き当たるよう形成されている。
【００３３】
次に、コネクタ１の組み付け手順を説明する。コネクタハウジング２より引き出された電線Ｗにコルゲートチューブ３０をセットする。次に、図５（ａ）、（ｂ）に示すように、コネクタカバー１０のカバー本体１１をコネクタハウジング２の本来の組み付け位置にセットする。ここで、カバー本体１１はコネクタハウジング２の組み付け方向に対し斜め方向から近づけ、コネクタハウジング２の嵌合アーム６１をカバー本体１１のアーム嵌合孔６２に挿入する。すると、図６（ａ）、（ｂ）に示すように、嵌合アーム６１の突部６１ａがアーム嵌合孔６２の干渉内壁面６２ａに当接する。この挿入位置では、コネクタハウジング２とカバー本体１１の外側干渉部２ｄ，１１ｄ同士が突き当たる。これにより、カバー本体１１の直線方向の挿入では、カバー本体１１をコネクタハウジング２にこれ以上挿入することはできない。
【００３４】
次に、図６（ｂ）にて矢印で示すように、カバー本体１１を本来の組み付け方向に戻す方向に回転しながら押し込む。すると、嵌合アーム６１の突部６１ａが干渉内壁面６２ａを圧縮変形で乗り越え、嵌合アーム６１がアーム嵌合孔６２の挿入完了位置まで挿入される。これにより、図７（ａ）、（ｂ）に示すように、嵌合アーム６１の突部６１ａがアーム嵌合孔６２の一対の挟持用内壁面６２ｂ，６２ｅに挟み込まれる。これにより、コネクタハウジング２にカバー本体１１が仮ロックされる。
【００３５】
次に、カバー本体１１の電線挿通路１２内に電線Ｗを配置し、且つ、カバー本体１１のチューブ係止突起１３にコルゲートチューブ３０の一端側をセットする。
【００３６】
次に、第１蓋部２１と第２蓋部２２を、カバー本体１１の閉位置（組み付け位置）にヒンジ部２０を中心として回転する。すると、第１ロック手段４０の係止突壁４２と係止アーム４４がそれぞれロックされる。ここで、第１ロック手段４０の一部を構成する仮ロック手段６０は、すでにロック位置に位置している。又、第２ロック手段５０の各係止アーム５２と各係止枠５１がそれぞれ係止される。これにより、コネクタハウジング２とコネクタカバー１０との間がロックされると共に、カバー本体１１と第１蓋部２１及び第２蓋部２２との間、及び、コネクタカバー１０とコルゲートチューブ３０の間がロックされる（図１参照）。これで、組み付けが完了する。
【００３７】
以上説明したように、コネクタ１は、コネクタハウジング２に設けられた嵌合アーム６１と、カバー本体１１に設けられたアーム嵌合孔６２とを有し、嵌合アーム６１には先端箇所に突部６１ａが設けられ、アーム嵌合孔６２は、挿入入口より挿入途中までが、カバー本体１１の組み付け方向に対し斜め方向での挿入のみを許容するよう形成され、突部６１ａが干渉内壁面６２ａに当接する位置では、カバー本体１１の本来の組み付け方向への向きに戻すよう回転しつつ押し込むことによって突部６１ａが干渉内壁面６２ａを乗り越えて挿入完了位置まで挿入され、挿入完了位置では突部６１ａを挟み込んでロックするよう形成された仮ロック手段６０を備えている。従って、コネクタカバー１０のカバー本体１１をコネクタハウジング２の組み付け位置にセットすると、仮ロック手段６０によってロックされる。従って、第１蓋部２１及び第２蓋部２２をカバー本体１１の組み付け位置にセットするまで、作業者がコネクタカバー１０のカバー本体１１をコネクタハウジング２の組み付け位置に手などで保持する必要がない。又、仮ロック手段６０は、カバー本体１１とコネクタハウジング２間に直線方向の離脱力と回転力が所定の順序で作用しない限り外れないため、仮ロック手段６０によってカバー本体１１とコネクタハウジング２間が強いロック保持力でロックされる。以上より、コネクタカバー１０の組み付け作業性が良く、しかも、コネクタハウジング２に対しコネクタカバー１０が容易に脱落しない。
【００３８】
突部６１ａが干渉内壁面６２ａに当接する位置では、コネクタハウジング２とカバー本体１１の外側から目視できる外側干渉部２ｄ，１１ｄ同士が突き当たる。従って、コネクタカバー１０の組み付け過程にあって、カバー本体１１を斜め挿入から回転しつつ押し込むタイミングが明確に認識できるため、組み付け作業性が向上する。
【００３９】
仮ロック手段６０は、第１ロック手段４０を一部兼用している。従って、本ロック手段（本実施形態では、第１ロック手段４０及び第２ロック手段５０）と仮ロック手段６０を有するコネクタ１にあって、構成の複雑化を極力防止できる。
【００４０】
尚、前記実施形態によれば、仮ロック手段６０は、コネクタハウジング２に嵌合アーム６１を設け、カバー本体１１にアーム嵌合孔６２を設けたが、逆に、コネクタハウジング２にアーム嵌合孔６２を設け、カバー本体１１に嵌合アーム６１を設けても良い。
【符号の説明】
【００４１】
２  コネクタハウジング
２ｄ，１１ｄ  外側干渉部
１０  コネクタカバー
１１  カバー本体
２１  第１蓋部（蓋部）
２２  第２蓋部（蓋部）
４０  第１ロック手段（ロック手段）
５０  第２ロック手段（ロック手段）
６０  仮ロック手段
６１  嵌合アーム
６１ａ  突部
６２  アーム嵌合孔
６２ａ  干渉内壁面
Ｗ  電線
【図１】
0005759826.tif 000002
【図２】
0005759826.tif 000003
【図３】
0005759826.tif 000004
【図４】
0005759826.tif 000005
【図５】
0005759826.tif 000006
【図６】
0005759826.tif 000007
【図７】
0005759826.tif 000008
【図８】
0005759826.tif 000009
【図９】
0005759826.tif 000010
【図１０】
0005759826.tif 000011
【図１１】
0005759826.tif 000012